(57)【要約】【課題】導入が容易であり、鍵と開閉物との関係から異常を監視することができる鍵管理装置を提供する。【解決手段】制御部の制御機能部は、開閉状態監視部から開閉物が開放された旨を受信した際に（Ｓ２）、開閉物が開状態である旨を開閉情報に記録し（Ｓ３）、開閉物を施錠解錠する為の鍵の貸出返却状態を貸出返却情報から読み出す（Ｓ４）。鍵が貸出状態で開閉物が開放状態の場合（Ｓ５）、履歴情報に正常を記録する（Ｓ６）。鍵が返却状態で開閉物が開放状態の場合、こじ開け等により不正に解錠されと判断し、履歴情報に不正開放異常を記録して（Ｓ９）、その旨を表示部に表示し、かつ鍵の管理者又は鍵の使用者に通知する（Ｓ１０）。【選択図】図２
2008208663.tif 000002
【特許請求の範囲】
【請求項１】
扉や引出しや引き戸やドア等の開閉物を施錠解錠する為の鍵を貸出可能に保管するとともに該鍵の貸出返却状態を把握する機能を有した鍵保管部と、
前記開閉物の開閉状態を検知するセンサと該センサからの開閉状態信号を監視する開閉状態監視部と、
前記鍵保管部で把握した前記鍵の貸出返却状態及び前記開閉状態監視部で検知した前記開閉物の開閉状態の整合性を監視する制御部と、
を備えたことを特徴とする鍵管理装置。
【請求項２】
前記制御部は、前記鍵の貸出返却状態と当該鍵に対応した前記開閉物の開閉状態とを比較して、貸出していない鍵で施錠解錠される開閉物が開状態になった場合に、当該開閉物が不正に開けられた不正開放異常として検知する不正開放異常検知手段を備えたことを特徴とする請求項１記載の鍵管理装置。
【請求項３】
前記制御部は、前記鍵の貸出返却状態と当該鍵に対応した前記開閉物の開閉状態とを比較して、前記鍵が返却された際に当該鍵で施錠解錠される開閉物が開状態になっている場合に、施錠忘れによる異常であると検知する施錠忘れ異常検知手段を備えたことを特徴とする請求項１又は２記載の鍵管理装置。
【請求項４】
前記制御部は、前記鍵の貸出返却状態と当該鍵に対応した前記開閉物の開閉状態とを比較して異常を検出した際に、その旨を記憶部に記録する異常状態記録手段を備えたことを特徴とする請求項１、２又は３記載の鍵管理装置。
【請求項５】
前記制御部は、前記鍵の貸出返却状態と当該鍵に対応した前記開閉物の開閉状態とを比較して異常を検出した際に、その旨を表示部に表示する異常状態表示手段を備えたことを特徴とする請求項１から４にいずれか記載の鍵管理装置。
【請求項６】
前記鍵保管部は、前記鍵の貸出返却状態の検知のみを行うことを特徴とする請求項１から５にいずれか記載の鍵管理装置。
【請求項７】
前記センサの出力に無線送信部を接続するとともに、前記開閉状態監視部の入力に無線受信部を接続し、前記センサからの開閉状態信号を、前記無線送信部からの電波で無線受信部へ伝達することで、前記開閉物の開閉状態を検知することを特徴とする請求項１から６にいずれか記載の鍵管理装置。
【請求項８】
前記センサの出力に赤外線送信部を接続するとともに、前記開閉状態監視部の入力に赤外線受信部を接続し、前記センサからの開閉状態信号を、前記赤外線送信部からの赤外線で赤外線受信部へ伝達することで、前記開閉物の開閉状態を検知することを特徴とする請求項１から６にいずれか記載の鍵管理装置。
【発明の詳細な説明】
【技術分野】
【０００１】
本発明は、扉等の鍵を管理する鍵管理装置に関する。
【背景技術】
【０００２】
従来、設備機器の設置区域において、設備機器の鍵を効率的に一括管理する際には、鍵管理装置が採用されている。
【０００３】
この鍵管理装置を実現する際には、図５に示すように、一般的に扉等の開閉物８０１，・・・の施錠部分の交換又は扉等を交換する等の方法により、総ての開閉物８０１，・・・に電気錠８０２と開閉状態を検知できるセンサ８０３を設置する。そして、この電気錠８０２の制御および前記センサ８０３を監視する複数の電気錠制御部８０４，・・・と、これらの電気錠制御部８０４，・・・の制御および状態を監視する制御部８０５とを設けて鍵管理装置８０６を構築していた。
【０００４】
これにより、鍵の貸出しや返却に相当する前記電気錠８０２の施錠解錠操作、および動作履歴を管理できるように構成されている。
【０００５】
一方、扉等の開閉物８０１の施錠部分の形状や位置、費用面の問題、設備機器が稼動中等の制約により、電気錠８０２への交換ができない場合には、図６に示すように、扉等の前記開閉物８０１，・・・の鍵８１１，・・・を、鍵保管部８１２の鍵ロック機能部８１３，・・・に収容し、この鍵保管部８１２の制御および状態を監視する制御部８１４を設けて鍵管理装置８１５を構成することにより、鍵８１１の貸出しや返却および動作履歴を管理する方法がとられるが、この種の鍵管理装置８１５としては、鍵８１１の貸出しや返却および動作履歴の管理に、扉等の開閉物８０１の開閉状態を用いていない（例えば、特許文献１参照。）。
【特許文献１】特開平６−２２９１４９号公報
【発明の開示】
【発明が解決しようとする課題】
【０００６】
しかしながら、このような扉等の開閉物８０１の鍵８１１を鍵保管部８１２に収容する従来の鍵管理装置８１５にあっては、鍵８１１の貸出しや返却および動作履歴の管理に扉等の開閉状態を用いていないため、次のような問題が発生し、鍵８１１の管理が不十分になるという欠点がある。
【０００７】
（イ）鍵８１１を貸出していない扉等が不正な方法により開けられる異常（扉等のこじ開け）を検知することができない。
【０００８】
（ロ）扉等を施錠せずに鍵８１１が返却されてしまう異常（施錠忘れ）を検知することができない。
【０００９】
これらの問題は、上述した総ての扉等に電気錠８０２を設置した鍵管理装置８０６では、一般的に電気錠８０２と開閉状態を検知できるセンサ８０３が設置されており、電気錠８０２の施錠解錠の状態と扉等の開閉状態を同時に検知できるため発生しない。
【００１０】
したがって、上述した制約がある場合には、導入時の様々なデメリット（電気錠の取付け方法の検討や取付金具などの新規作成や取付け作業時間増加によるコスト増加、稼動中の設備機器を停止することのリスクや営業的な損失）を受入れた上で、上述した総ての扉等に電気錠８０２を設置した鍵管理装置８０６を導入し、十分な鍵８１１の管理を行うか、鍵８１１の管理が不十分であることを承知の上で、上述した従来の扉等の鍵８１１を鍵保管部８１２に収容した鍵管理装置８１５を選択するしかなかった。
【００１１】
本発明は、このような従来の課題に鑑みてなされたものであり、導入が容易であり、鍵と開閉物との関係から異常を監視することができる鍵管理装置を提供することを目的とするものである。
【課題を解決するための手段】
【００１２】
前記課題を解決するために本発明の請求項１の鍵管理装置にあっては、扉や引出しや引き戸やドア等の開閉物を施錠解錠する為の鍵を貸出可能に保管するとともに該鍵の貸出返却状態を把握する機能を有した鍵保管部と、前記開閉物の開閉状態を検知するセンサと、該センサからの開閉状態信号を監視する開閉状態監視部と、前記鍵保管部で把握した前記鍵の貸出返却状態及び前記開閉状態監視部で検知した前記開閉物の開閉状態の整合性を監視する制御部と、を備えている。
【００１３】
すなわち、扉や引出しや引き戸やドア等の開閉物に、開閉状態を検知するセンサを取り付けるとともに、このセンサを監視する開閉状態監視部を、例えば前記開閉物の周辺に設置する。
【００１４】
また、前記開閉物を施錠解錠する為の鍵は、当該鍵の貸出返却状態を把握する機能を有した鍵保管部で貸出可能に保管する。
【００１５】
そして、前記鍵保管部で把握した前記鍵の貸出返却状態と、前記開閉状態監視部で検知した前記開閉物の開閉状態とを関連付け、その整合性を制御部で監視することによって、異常状態が検知される。
【００１６】
また、請求項２の鍵管理装置においては、前記制御部は、前記鍵の貸出返却状態と当該鍵に対応した前記開閉物の開閉状態とを比較して、貸出していない鍵で施錠解錠される開閉物が開状態になった場合に、当該開閉物が不正に開けられた不正開放異常として検知する不正開放異常検知手段を備えている。
【００１７】
すなわち、前記制御部は、前記鍵の貸出返却状態と当該鍵に対応した前記開閉物の開閉状態とを比較する。
【００１８】
このとき、貸出中の鍵で施錠解錠される開閉物が開状態になった場合には、貸し出した鍵によって開閉物が解錠され開放されたと考えられる。一方、貸出していない鍵で施錠解錠される開閉物が開状態になった場合には、当該開閉物が、こじ開け等によって、不正に解錠され開放されたと判断することができる。この場合、前記制御部では、不正開放異常として検知される。
【００１９】
さらに、請求項３の鍵管理装置では、前記制御部は、前記鍵の貸出返却状態と当該鍵に対応した前記開閉物の開閉状態とを比較して、前記鍵が返却された際に当該鍵で施錠解錠される開閉物が開状態になっている場合に、施錠忘れによる異常であると検知する施錠忘れ異常検知手段を備えている。
【００２０】
すなわち、前記制御部は、前記鍵の貸出返却状態と当該鍵に対応した前記開閉物の開閉状態とを比較する。
【００２１】
このとき、前記鍵が返却された際に、当該鍵で施錠解錠される開閉物が閉状態になっている場合には、該開閉物を施錠してから当該鍵が返却されたと判断することができる。一方、前記鍵が返却された際に、当該鍵で施錠解錠される開閉物が開状態になっている場合には、開閉物を施錠せずに鍵が返却されたと判断することができる。この場合、前記制御部では、施錠忘れ異常として検知される。
【００２２】
加えて、請求項４の鍵管理装置にあっては、前記制御部は、前記鍵の貸出返却状態と当該鍵に対応した前記開閉物の開閉状態とを比較して異常を検出した際に、その旨を記憶部に記録する異常状態記録手段を備えている。
【００２３】
すなわち、前記制御部は、前記鍵の貸出返却状態と当該鍵に対応した前記開閉物の開閉状態とを比較する。
【００２４】
このとき、異常が検出された際には、その旨が記憶部に履歴情報として記録される。このため、この記憶部の記録を参照することで、異常発生の有無が確認される。
【００２５】
また、請求項５の鍵管理装置においては、前記制御部は、前記鍵の貸出返却状態と当該鍵に対応した前記開閉物の開閉状態とを比較して異常を検出した際に、その旨を表示部に表示する異常状態表示手段を備えている。
【００２６】
すなわち、前記制御部は、前記鍵の貸出返却状態と当該鍵に対応した前記開閉物の開閉状態とを比較する。このとき、異常が検出された際には、その旨が表示部に表示される。
【００２７】
このため、この表示部を監視することで、異常発生が確認される。
【００２８】
さらに、請求項６の鍵管理装置では、前記鍵保管部は、前記鍵の貸出返却状態の検知のみを行う。
【００２９】
すなわち、前記鍵保管部は、前記鍵の貸出返却状態の検知のみを行うため、鍵を拘束する為のロック機構等が不要となる。
【００３０】
また、請求項７の鍵管理装置では、前記センサの出力に無線送信部を接続するとともに、前記開閉状態監視部の入力に無線受信部を接続し、前記センサからの開閉状態信号を、前記無線送信部からの電波で無線受信部へ伝達することで、前記開閉物の開閉状態を検知する。
【００３１】
すなわち、前記センサから前記開閉状態監視部への配線が無いため設置作業が容易になる。
【００３２】
また、請求項８の鍵管理装置では、前記センサの出力に赤外線送信部を接続するとともに、前記開閉状態監視部の入力に赤外線受信部を接続し、前記センサからの開閉状態信号を、前記無線送信部からの赤外線で赤外線受信部へ伝達することで、前記開閉物の開閉状態を検知する。
【００３３】
請求項７の鍵管理装置と同様に、前記センサから前記開閉状態監視部への配線が無いため設置作業が容易になる。
【発明の効果】
【００３４】
以上説明したように本発明の鍵管理装置にあっては、扉や引出しや引き戸やドア等の開閉物に前記センサを設け、このセンサを監視する開閉状態監視部及び前記鍵を保管する前記鍵保管部を設置するだけで、前記貸出返却状態と前記開閉状態とから異常状態を検知することができる。
【００３５】
したがって、当該鍵管理装置の導入を容易としつつ、鍵と開閉物との関係から異常を監視することができる。
【００３６】
そして、前記制御部により扉等の開閉物の開閉情報と前記鍵の貸出返却情報とを関連付けて異常を検知することで、前述した課題を解消することができる。
【００３７】
すなわち、前述した課題の（イ）について説明すると、扉等の開閉物が開状態に変化したタイミングで、前記鍵の貸出返却情報を調べ、当該鍵が返却の状態になっている場合は、この鍵を貸出していない扉等が不正な方法により開けられた異常（扉等のこじ開け）であると制御部にて検知できる。
【００３８】
また、前述した課題の（ロ）について説明すると、前記鍵が返却されたタイミングで、扉等の開閉情報を調べ扉等が開状態になっている場合は、扉等を施錠せずに鍵が返却されてしまった異常（施錠忘れ）であることを制御部にて検知することができる。
【００３９】
前述の動作により検知した異常は、前記制御部にて表示し、前記鍵の管理者又は前記鍵の使用者に通知することで、不正な行為である扉等のこじ開けや、日常的に発生する単純なミスである施錠忘れに対して、従来の扉等の鍵を鍵保管部に収容する鍵管理装置よりも迅速な対応が可能となり、鍵の管理の本質であるセキュリティ性が向上する。
【００４０】
また、検知した異常を履歴情報として記録することで、過去に検知した異常の追跡調査を行うことができる。
【００４１】
そして、異常の検知以外に期待できる効果としては、扉等の開閉状態を前記制御部で表示できるため、貸出した鍵の使用状況（例えば、扉等が開いていれば鍵の使用者は現在作業中である。又は、鍵を貸出してから一定時間が経過したのに扉等が閉じていれば現場に到着していない等）を推測できる。
【００４２】
また、履歴情報として扉等の開閉情報を記録することで、鍵の貸出返却情報と関連付ければ、過去の鍵の使用状況を推測することもできる。
【００４３】
さらに、総ての扉等に電気錠を設置した従来の鍵管理装置の構成と比較した場合、扉等への取付けは、開閉状態が検知できるセンサと開閉状態監視部とを設けるだけで、電気錠が不要となるため、扉等の施錠部分の形状や位置、費用面の問題、設備機器が稼動中といった制約を受けること無く設置が可能となり、前述した課題を解消することができる。これにより、本来簡易的な鍵の管理方法であった従来の扉等の鍵を鍵保管部に収容した鍵管理装置の機能を向上させ、理想的な鍵の管理方法である総ての扉等に電気錠を設置した鍵管理装置に近づけることが可能になる。
【００４４】
加えて、前記鍵の貸出返却状態の検知のみを行うようにすれば、前記鍵を拘束する為のロック機構等が不要となり、さらなる低コスト化を図ることができる。
【００４５】
また、前記センサの出力に無線送信部を接続するとともに、前記開閉状態監視部の入力に無線受信部を接続し、前記センサからの開閉状態信号を、前記無線送信部からの電波で無線受信部へ伝達することで、前記開閉物の開閉状態を検知するようにすれば、前記センサから前記開閉状態監視部への配線が無いため設置作業が容易になり、設置作業のコストを下げることができる。
【００４６】
上記では無線通信について説明しているが、無線送信部を赤外線送信部、無線受信部を赤外線受信部としたうえで赤外線通信を行うようにすれば、同様の効果を得ることができる。
【発明を実施するための最良の形態】
【００４７】
（第１の実施の形態）
【００４８】
以下、本発明の第１の実施の形態を図面に従って説明する。図１は、本実施の形態にかかる鍵管理装置１を示すブロック図であり、該鍵管理装置１は、例えば設備機器の設置区域において、扉や引出しや引き戸やドア等の開閉物２，・・・を施錠解錠する為の鍵３，・・・を一括管理する装置である。
【００４９】
この鍵管理装置１は、複数の鍵３，・・・を保管する鍵保管部１１と、前記鍵３で開閉される前記開閉物２の開閉状態を監視する開閉状態監視部１２と、前記鍵保管部１１と前記開閉状態監視部１２とを監視する制御部１３とによって構成されている。
【００５０】
前記鍵保管部１１は、対応した鍵３のみを保持する鍵ロック機能部２１を備えており、各鍵ロック機能部２１，・・・は、保持した鍵３の抜き取りを阻止するロック状態と、鍵３の抜き取りを可能としたアンロック状態とを形成できるように構成されている。前記各鍵ロック機能部２１，・・・は、対応する鍵３が差し込まれているか否かを検出できるように構成されており、対応する鍵３が貸出中であるか否かを検知して出力するように構成されている。
【００５１】
前記各鍵ロック機能部２１，・・・は、制御機能部３１に接続されている。該制御機能部３１は、前記各鍵ロック機能部２１，・・・に制御信号を出力することによって、その鍵ロック機能部２１を前記ロック状態及び前記アンロック状態に制御できるように構成されている。また、前記各鍵ロック機能部２１，・・・から出力された信号によって、前記各鍵ロック機能部２１，・・・での鍵３，・・・の保持状態を検出できるように構成されており、前記各鍵ロック機能部２１，・・・に対応した鍵３，・・・の貸出返却状態を把握できるように構成されている。
【００５２】
この制御機能部３１は、通信機能部４１及びイーサネット（登録商標）４２を介して、前記制御部１３に接続されており、例えば該制御部１３へのＩＤ入力に基づいた当該制御部１３からの制御信号に応じて貸出可能な鍵３に対応する鍵ロック機能部２１をアンロック状態にしたり、前記鍵保管部１１からは前記各鍵ロック機能部２１，・・・に対応した鍵３，・・・の貸出返却状態を前記制御部１３に送信できるように構成されている。これにより、該制御部１３では、前記各鍵３，・・・の貸出返却状態を検知するとともに、鍵３が返却された際には、その鍵３を特定できるように構成されている。
【００５３】
前記開閉状態監視部１２は、前記各鍵３，・・・で施錠及び解錠される各開閉物２，・・・に取り付けられたセンサ５１，・・・が接続されており、各センサ５１，・・・は、取り付けられた開閉物２，・・・の開閉状態を検出できるように構成されている。各センサ５１，・・・は、監視機能部５２に接続されており、該監視機能部５２は、前記各センサ５１，・・・からの開閉状態信号を受けることによって、各センサ５１，・・・が取り付けられた各々の開閉物２，・・・が開放状態にあるか閉鎖状態にあるかを把握できるように構成されている。
【００５４】
この監視機能部５２には、通信機能部６１が接続されており、該通信機能部６１は、前記イーサネット（登録商標）４２を介して、前記制御部１３に接続されている。これにより、該制御部１３では、前記各開閉物２，・・・の開閉状態を検知できるように構成されており、各開閉物２，・・・が開放された際には、その開閉物２を特定できるように構成されている。
【００５５】
前記制御部１３は、前記イーサネット（登録商標）４２に接続された通信機能部７１を備えており、前記鍵保管部１１と前記開閉状態監視部１２と通信できるように構成されている。前記通信機能部７１には、制御機能部７２が接続されており、当該制御機能部７２は、前記鍵保管部１１より取得した前記各鍵３，・・・の貸出返却状態と、前記開閉状態監視部１２から取得した前記各開閉物２，・・・の開閉状態との整合性を監視するように構成されている。
【００５６】
この制御機能部７２には、モニタ等の表示部を備えてなる表示機能部８１が接続されており、当該制御機能部７２からの出力に応じた表示をモニタ等の表示部に表示できるように構成されている。
【００５７】
また、前記制御機能部７２には、ハードディスク等の記憶手段で構成された記憶部９１が接続されており、該記憶部９１には、前記各鍵３，・・・の貸出返却状態や前記各開閉物２，・・・の開閉状態が逐次記憶されデータベース化された履歴情報９２と、前記各鍵３，・・・の貸出返却状態が逐次更新されてなる貸出返却情報９３と、前記各開閉物２，・・・の開閉状態が逐次更新されてなる開閉情報９４が構築されている。
【００５８】
次に、当該鍵管理装置１の前記鍵保管部１１と前記制御部１３と前記開閉状態監視部１２との動作を説明する。
【００５９】
先ず、前記制御部１３の前記制御機能部７２は、１つ以上の利用可能な鍵３，・・・を示す鍵番号を前記通信機能部７１により前記鍵保管部１１へ送信する。そして、前記通信機能部７１と前記鍵保管部１１の前記通信機能部４１を経由して、当該鍵保管部１１の前記制御機能部３１により、前記各鍵ロック機能部２１，・・・の鍵３，・・・の有無を周期的に監視する。
【００６０】
ここで、前記制御部１３の前記制御機能部７２が送信する、１つ以上の利用可能な鍵３，・・・の鍵番号は、鍵３，・・・の管理者又は鍵３，・・・の使用者の認証等により決定されることは、いうまでもない。
【００６１】
一方、前記鍵保管部１１の前記通信機能部４１は、前記制御部１３からの利用可能な鍵番号を受信する。そして、当該鍵保管部１１の前記制御機能部３１は、受信した利用可能な鍵３，・・・の鍵番号に該当する総ての鍵ロック機能部２１，・・・を鍵３，・・・の取出し又は鍵３，・・・の返却保管が可能な状態する。また、総ての鍵ロック機能部２１，・・・の鍵３，・・・の有無を監視し、有無に変化が生じた場合には、前記通信機能部４１により、前記制御部１３へ、その鍵３の状態を送信する。
【００６２】
前記制御部１３の前記通信機能部７１は、前記鍵保管部１１からの前記鍵３の状態を受信すると、前記制御部１３の前記制御機能部７２は、受信した鍵３の状態を貸出返却情報９３に記録し、該貸出返却情報９３と前記開閉情報９４を関連付けて前記各開閉物２，・・・の状態を検知し、前記履歴情報９２に検知した結果を記録する。このとき、前記制御部１３の前記表示機能部８１は、検知した結果、前記開閉物２の開閉状態、及び当該鍵３の貸出返却状態を表示するとともに、当該鍵３の管理者又は鍵３の使用者に通知する。
【００６３】
前記開閉状態監視部１２は、前記監視機能部５２により前記各センサ５１，・・・を通して総ての開閉物２，・・・の開閉状態を監視し、開閉状態に変化が生じた場合には、その開閉物２の開閉状態を前記通信機能部６１により前記制御部１３へ送信する。
【００６４】
このとき、前記制御部１３の前記通信機能部７１は、前記開閉状態監視部１２から送信された前記開閉物２の開閉状態を受信し、前記制御機能部７２は、受信した開閉物２の開閉状態を前記開閉情報９４に記録して、該開閉情報９４と前記貸出返却情報９３を関連付けて前記開閉物２の状態を検知し、前記履歴情報９２に検知した結果を記録する。このとき、前記制御部１３の前記表示機能部８１は、検知した結果、前記開閉物２の開閉状態、及び前記鍵３の貸出返却状態を表示し、当該鍵３の管理者又は鍵３の使用者に通知する。
【００６５】
なお、検知した結果、前記開閉物２，・・・の開閉状態、および前記鍵３，・・・の貸出返却状態を、当該鍵３の管理者又は鍵３の使用者へ通知する方法として、鍵３の管理者又は鍵３の使用者の通信端末に広域ネットワーク等を介して送信する方法が挙げられる。
【００６６】
以上の構成からなる本実施の形態の動作を、図２に示すように、フローチャートに従って説明する。
【００６７】
すなわち、当該鍵管理装置１が異常の監視を開始すると、前記制御部１３の前記通信機能部７１は、前記開閉状態監視部１２から送信される前記開閉物２，・・・の開閉状態、及び前記鍵保管部１１から送信される前記各鍵３，・・・の状態を逐次受信する（Ｓ１）。
【００６８】
前記開閉状態監視部１２から前記各開閉物２の開閉状態を受信した際には（Ｓ２）、前記制御部１３の前記制御機能部７２は、受信した開閉物２の開閉状態を前記開閉情報９４に記録するとともに（Ｓ３）、当該開閉物２に対応した鍵３の貸出返却状態を前記貸出返却情報９３から読み出し（Ｓ４）、読み出した貸出返却状態と前記開閉状態と関連付けて、その整合性を監視する。
【００６９】
前記開閉物２が開放された場合に付いて説明すると、前記制御部１３の前記制御機能部７２は、前記開閉状態監視部１２から前記開閉物２が開放された旨を受信した際に（Ｓ２）、当該開閉物２が開状態である旨を前記開閉情報９４に記録するとともに（Ｓ３）、当該開閉物２を施錠解錠する為の鍵３の貸出返却状態を前記貸出返却情報９３から読み出す（Ｓ４）。
【００７０】
そして、この鍵３が鍵ロック機能部２１に差し込まれた返却状態において当該鍵３で施錠解錠される開閉物２が開放状態になっているか否かを判断する（Ｓ５）。
【００７１】
このとき、前記鍵３が貸出状態で当該鍵３に対応した開閉物２が開放状態の場合には、貸し出した鍵３によって前記開閉物２が解錠され開放されたと正常開放状態と考えられる。このため、この正常開放状態を検知した旨を前記履歴情報９２に記録した後（Ｓ６）、前記表示機能部８１の表示部に、当該開閉物２が開放されている旨を表示するとともに（Ｓ７）、当該開閉物２を解錠する為の前記鍵３が貸出中である旨を表示して（Ｓ８）、前記ステップＳ１へ移行する。
【００７２】
また、前記ステップＳ５において、前記鍵３が返却状態で当該鍵３に対応した開閉物２が開放状態の場合、貸出していない鍵３で施錠解錠される前記開閉物２が開状態になっており、当該開閉物２が、こじ開け等によって不正に解錠され開放されたと判断することができる。この場合、前記制御部機能部７２では、不正開放異常と判断し、この不正開放異常状態を検知した旨を前記履歴情報９２に記録するとともに（Ｓ９）、この不正開放異常状態を検知した旨を、前記表示機能部８１の表示部に表示し、かつ当該鍵３の管理者又は鍵３の使用者に通知する（Ｓ１０）。
【００７３】
そして、前記表示機能部８１の表示部に、前記開閉物２が開放されている旨を表示するとともに（Ｓ７）、当該開閉物２を解錠する為の前記鍵３が貸し出されていない旨を表示して（Ｓ８）、前記ステップＳ１へ移行する。
【００７４】
一方、前記鍵保管部１１から鍵３の状態を受信した場合に付いて説明すると、前記制御部１３の前記制御機能部７２は、前記鍵保管部１１から前記鍵３が返却された旨を受信した際に（Ｓ１１）、当該鍵３が返却状態である旨を前記貸出返却情報９３に記録するとともに（Ｓ１２）、当該鍵３で施錠解錠される開閉物２の開閉状態を前記開閉情報９４から読み出す（Ｓ１３）。
【００７５】
そして、前記鍵３が鍵ロック機能部２１に差し込まれた返却状態において、当該鍵３で施錠解錠される開閉物２が開放状態になっているか否かを判断する（Ｓ１４）。
【００７６】
このとき、前記鍵３が返却状態で、当該鍵３で施錠解錠される開閉物２が閉状態になっている場合には、該開閉物２を施錠してから当該鍵が返却された正常返却状態と判断することができる。このため、この正常返却状態を検知した旨を前記履歴情報９２に記録した後（Ｓ１５）、前記表示機能部８１の表示部に、当該開閉物２が閉鎖されている旨を表示するとともに（Ｓ７）、当該開閉物２を解錠する為の前記鍵３が返却されている旨を表示して（Ｓ８）、前記ステップＳ１へ移行する。
【００７７】
また、前記ステップＳ１４において、前記鍵３が返却状態で当該鍵３で施錠解錠される開閉物２が開状態になっている場合には、当該開閉物２を施錠せずに前記鍵３が返却されたと判断することができる。この場合、前記制御部機能部７２では、施錠忘れ異常と判断し、この施錠忘れ異常状態を検知した旨を前記履歴情報９２に記録するとともに（Ｓ１６）、この施錠忘れ異常状態を検知した旨を、前記表示機能部８１の表示部に表示し、かつ当該鍵３の管理者又は鍵３の使用者に通知する（Ｓ１７）。
【００７８】
そして、前記表示機能部８１の表示部に、前記開閉物２が開放されている旨を表示するとともに（Ｓ７）、当該開閉物２を解錠する為の前記鍵３が返却された旨を表示して（Ｓ８）、前記ステップＳ１へ移行する。
【００７９】
このように、本実施の形態の鍵管理装置１にあっては、扉や引出しや引き戸やドア等の各開閉物２，・・・に前記センサ５１，・・・をそれぞれ設け、これらセンサ５１，・・・を監視する開閉状態監視部１２及び前記鍵３，・・・を保管する前記鍵保管部１１を設置するだけで、前記貸出返却状態と前記開閉状態とから異常状態を検知することができる。
【００８０】
したがって、当該鍵管理装置１の導入を容易としつつ、前記各鍵３と、対応する各開閉物２，・・・との関係から異常を監視することができる。
【００８１】
そして、前記制御部１３により扉等の開閉物２，・・・の開閉情報９４と前記鍵３，・・・の貸出返却情報９３とを関連付けて異常を検知することで、従来の課題を解消することができる。
【００８２】
すなわち、従来例で挙げた課題（イ）について説明すると、扉等の開閉物２が開状態に変化したタイミングで、前記鍵３の貸出返却情報９３を調べ、当該鍵３が返却状態になっている場合は、この鍵３を貸出していない扉等の開閉物２が不正な方法により開けられた異常（扉等のこじ開け）であると前記制御部１３にて検知することができる。
【００８３】
また、従来例で挙げた課題（ロ）について説明すると、前記鍵３が返却されたタイミングで、扉等の開閉物２の前記開閉情報９４を調べ、この開閉物２が開状態になっている場合は、当該開閉物２を施錠せずに前記鍵３が返却されてしまった異常（施錠忘れ）であることを前記制御部１３にて検知することができる。
【００８４】
前述の動作により検知した異常は、前記制御部１３の表示機能部８１において表示し、前記鍵３の管理者又は前記鍵３の使用者に通知することで、不正な行為である扉等の開閉物２のこじ開けや、日常的に発生する単純なミスである施錠忘れに対して、従来の鍵を鍵保管部に収容する鍵管理装置よりも迅速な対応が可能となり、前記鍵３，・・・の管理の本質であるセキュリティ性が向上する。
【００８５】
また、検知した異常を前記履歴情報９２として記録することで、過去に検知した異常の追跡調査を行うことができる。
【００８６】
そして、異常の検知以外に期待できる効果としては、扉等開閉物２の開閉状態を前記制御部１３の表示機能部８１において表示できるため、貸出した鍵３の使用状況（例えば、扉等開閉物２が開いていれば鍵３の使用者は現在作業中である。又は、鍵３を貸出してから一定時間が経過したのに扉等の開閉物２が閉じていれば現場に到着していない等）を推測できる。
【００８７】
また、前記履歴情報９２として扉等の開閉物２の開閉情報９４を記録することで、鍵３の貸出返却情報９３と関連付ければ、過去の鍵３の使用状況を推測することもできる。
【００８８】
さらに、総ての扉等の開閉物２に電気錠を設置した従来の鍵管理装置の構成と比較した場合、扉等の開閉物２への取付けは、開閉状態が検知できる前記センサ５１と前記開閉状態監視部１２とを設けるだけで、電気錠が不要となるため、扉等の開閉物２の施錠部分の形状や位置、費用面の問題、設備機器が稼動中といった制約を受けること無く設置が可能となり、前述した課題を解消することができる。これにより、本来簡易的な鍵３の管理方法であった従来の開閉物２の鍵３を鍵保管部１１に収容した鍵管理装置１の機能を向上させ、理想的な鍵３の管理方法である総ての扉等の開閉物２に電気錠を設置した鍵管理装置に近づけることが可能になる。
【００８９】
加えて、前記鍵３の貸出返却状態の検知のみを行うようにすれば、前記鍵３を拘束する為のロック機構等が不要となり、さらなる低コスト化を図ることができる。
【００９０】
（第２の実施の形態）
【００９１】
すなわち、図３は、第２の実施に形態にかかる鍵管理装置１０１を示すブロック図であり、第１の実施の形態と同一又は同等部分に付いては説明を割愛し、異なる部分に付いてのみ説明する。
【００９２】
本実施の形態の鍵管理装置１０１では、前記第１の実施の形態の鍵３の貸出し返却操作に伴う制御を削除したものである。
【００９３】
第１の実施の形態の鍵管理装置１との構成の違いに付いて説明すると、前記鍵保管部１１において、鍵３をロックする機構を備えた前記鍵ロック機能部２１，・・・と前記制御機能部３１とが廃止されており、対応した鍵３の保管状態を検知する鍵検知機能部１１１，・・・が追加されている。
【００９４】
これは、鍵３の管理者又は鍵３の使用者の認証等を行わずに、前記鍵保管部１１の鍵３，・・・の取出し又は保管を常に可能にして運用するもので、簡易的な鍵管理装置１０１が構成されている。なお、前記各部１１，１２，１３の通信には、第１の実施の形態と同様にイーサネット（登録商標）４２を使用する。
【００９５】
次に、当該鍵管理装置１０１の前記鍵保管部１１と前記制御部１３と前記開閉状態監視部１２の動作を説明する。
【００９６】
まず、本実施の形態では、前述した第１の実施の形態と異なり、前記制御部１３から前記鍵保管部１１への制御は行わない。前記制御部１３の前記制御機能部７２は、前記通信機能部７１と前記鍵保管部１１の前記通信機能部４１を経由して、当該鍵保管部１１の各鍵検知機能部１１１，・・・により、各鍵３，・・・の有無を周期的に監視する。
【００９７】
このとき、前記鍵保管部１１の各鍵３，・・・は、取出し又は返却保管が常に可能な状態になっている。このため、当該鍵保管部１１の前記鍵検知機能部１１１，・・・は、各鍵３，・・・の有無に変化が生じた場合、前記通信機能部４１により前記制御部１３へ鍵３の状態を送信する。
【００９８】
すなわち、前記制御部１３の前記通信機能部７１は、前記鍵保管部１１から鍵３の貸出返却状態に変化があったことを受信する。すると、前記制御部１３の前記制御機能部７２は、受信した鍵３の貸出返却状態を前記貸出返却情報９３に記録し、該貸出返却情報９３と前記開閉情報９４を関連付けて扉等の開閉物２の状態を検知し、前記履歴情報９２に検知した結果を記録する。このとき、前記制御部１３の前記表示機能部８１は、検知した結果、前記開閉物２の開閉状態、及び当該鍵３の貸出返却状態を表示するとともに、当該鍵３の管理者又は鍵３の使用者に通知する。
【００９９】
前記開閉状態監視部１２は、前記監視機能部５２により前記各センサ５１，・・・を通して総ての開閉物２，・・・の開閉状態を監視し、開閉状態に変化が生じた場合には、その開閉物２の開閉状態を前記通信機能部６１により前記制御部１３へ送信する。
【０１００】
このとき、前記制御部１３の前記通信機能部７１は、前記開閉状態監視部１２から送信された前記開閉物２の開閉状態を受信し、前記制御機能部７２は、受信した開閉物２の開閉状態を前記開閉情報９４に記録して、該開閉情報９４と前記貸出返却情報９３を関連付けて前記開閉物２の状態を検知し、前記履歴情報９２に検知した結果を記録する。このとき、前記制御部１３の前記表示機能部８１は、検知した結果、前記開閉物２の開閉状態、及び前記鍵３の貸出返却状態を表示し、当該鍵３の管理者又は鍵３の使用者に通知する。
【０１０１】
なお、検知した結果、前記開閉物２，・・・の開閉状態、および前記鍵３，・・・の貸出返却状態を、当該鍵３の管理者又は鍵３の使用者へ通知する方法として、鍵３の管理者又は鍵３の使用者の通信端末に広域ネットワーク等を介して送信する方法が挙げられる。
【０１０２】
以上の構成にかかる本実施の形態において、前記鍵保管部１１は、前記鍵３，・・・の貸出返却状態の検知のみを行うため、各鍵３，・・・を拘束する為のロック機構等が不要となる。
【０１０３】
このため、本実施の形態にあっては、前述した第１の実施の形態の効果に加えて、装置全体の低コスト化を図ることができる。
【０１０４】
（第３の実施の形態）
【０１０５】
すなわち、図４は、第３の実施に形態にかかる鍵管理装置２０１を示すブロック図であり、第１の実施の形態と同一又は同等部分に付いては説明を割愛し、異なる部分に付いてのみ説明する。
【０１０６】
本実施の形態の鍵管理装置２０１と、第１の実施の形態の鍵管理装置１との構成の違いに付いて説明すると、前記第１の実施の形態の前記センサ５１の出力に無線送信部８２を接続するとともに、前記開閉状態監視部１２の前記監視機能５２に無線受信部８３を接続したものである。
【０１０７】
これは、前記センサ５１からの開閉状態信号を、前記無線送信部８２からの電波で前記無線受信部８３へ伝達することで、前記開閉物２の開閉状態を検知するようにしたもので、前記センサ５１から前記開閉状態監視部１２への配線が無いため設置作業を容易にした鍵管理装置２０１が構成されている。
【０１０８】
なお、前記各部１１，１２，１３の通信には、第１の実施の形態と同様にイーサネット（登録商標）４２を使用する。
【０１０９】
次に、当該鍵管理装置２０１の前記無線送信部８２と前記無線受信部８３と前記開閉状態監視部１２の動作を説明する。
【０１１０】
まず、本実施の形態では、前述した第１の実施の形態と異なり、前記センサ５１からの開閉状態信号は、直接前記開閉監視部１２へ伝達されず、前記無線送信部８２と前記無線受信部８３を経由して前記開閉監視部１２へ伝達される。
【０１１１】
前記無線送信部８２は、接続されている前記センサ５１の開閉状態信号を監視し、開閉状態に変化が生じた場合には、その開閉物２の開閉状態を、前記無線送信部８２からの電波で前記無線受信部８３へ伝達する。
【０１１２】
前記開閉状態監視部１２は、前記監視機能部５２により前記無線受信部８３を通して総ての開閉物２，・・・の開閉状態を監視し、開閉状態に変化が生じた場合には、その開閉物２の開閉状態を前記通信機能部６１により前記制御部１３へ送信する。
【０１１３】
以上の構成にかかる本実施の形態において、前記センサ５１から前記開閉状態監視部１２への配線が無いため設置作業が容易になる。
【０１１４】
このため、本実施の形態にあっては、前述した第１の実施の形態の効果に加えて、設置作業のコストを下げることができる。
【０１１５】
本実施例では無線通信について説明しているが、赤外線通信を行う場合には、無線送信部８２を赤外線送信部、無線受信部８３を赤外線受信部としたうえで、赤外線通信を行うことができるのは言うまでもない。
【図面の簡単な説明】
【０１１６】
【図１】本発明の第１の実施の形態を示すブロック図である。
【図２】同実施の形態の動作を示すフローチャートである。
【図３】本発明の第２の実施の形態を示すブロック図である。
【図４】本発明の第３の実施の形態を示すブロック図である。
【図５】従来の鍵管理装置を示すブロック図である。
【図６】他の従来例を示すブロック図である。
【符号の説明】
【０１１７】
１    鍵管理装置
２    開閉物
３    鍵
１１    鍵保管部
１２    開閉状態監視部
１３    制御部
２１    鍵ロック機能部
３１    制御機能部
４１    通信機能部
４２    イーサネット（登録商標）
５１    センサ
５２    監視機能部
６１    通信機能部
７１    通信機能部
７２    制御機能部
８１    表示機能部
８２    無線送信部
８３    無線受信部
９１    記憶部
９２    履歴情報
９３    貸出返却情報
９４    開閉情報
１０１    鍵管理装置
１１１    鍵検知機能部
【図１】
2008208663.tif 000003
【図２】
2008208663.tif 000004
【図３】
2008208663.tif 000005
【図４】
2008208663.tif 000006
【図５】
2008208663.tif 000007
【図６】
2008208663.tif 000008